(57)【要約】【課題】照明などに使用されるろうそく型の光源において、よりろうそくの炎のような明かりを安価で簡単な構成で実現することを目的とする。【解決手段】複数の発光源と、これらの発光源を覆うカバーと、前記発光源の明るさを制御する制御手段を個々に備え、この制御手段は前記発光源の明るさが所定の下限値となると所定の上限値になるまで明るさを増し、前記所定の上限値になると前記所定の下限値になるまで明るさを減らす繰り返し変化の中で、所定のタイミングで前記繰り返し変化を変えるよう構成することで、発光源に電源を印加すると、個々の周期でそれぞれの発光源が輝度を変化させながら点灯し、しかもその繰り返し周期を少しずつずらしていくので、安価の構成で長時間にわたって不規則な明かりを実現することができる。【選択図】  図１
2004311143.tif 000002
【特許請求の範囲】
【請求項１】
複数の発光源と、これらの発光源を覆うカバーと、前記発光源の明るさを制御する制御手段を個々に備え、この制御手段は前記発光源の明るさが所定の下限値となると所定の上限値になるまで明るさを増し、前記所定の上限値になると前記所定の下限値になるまで明るさを減らす繰り返し変化の中で、所定のタイミングで前記繰り返し変化を変えるよう構成したことを特徴とする電飾器。
【請求項２】
繰り返し変化を行う周期は、それぞれの発光源が個々に異なる周期であることを特徴とする請求項１記載の電飾器。
【請求項３】
所定のタイミングは、複数の発光源が同時に前記所定の下限値に達したときであることを特徴とした請求項１〜２のいずれか一項に記載の電飾器。
【請求項４】
所定のタイミングになった際には、繰り返し周期の長い方の発光源を第１の所定時間遅らせて所定の上限値になるまで明るさを増すように構成したことを特徴とする請求項１〜３のいずれか一項記載の電飾器。
【請求項５】
所定のタイミングは、１つの発光源が所定の下限値に達してから第２の所定時間以内に他の発光源が前記所定の下限値に達したときであり、後者の発光源を前記第２の所定時間経過後に所定の上限値になるまで明るさを増すように構成したことを特徴とした請求項１〜４のいずれか一項に記載の電飾器。
【請求項６】
電源投入時には、発光源を１つずつ点灯させるよう構成した請求項１〜５のいずれか一項に記載の電飾器。
【発明の詳細な説明】
【０００１】
【発明の属する技術分野】
本発明は、蝋燭等の代わりに用いられる光源でとくに発光源として発光素子（ＬＥＤ）を使用した電飾器に関するものである。
【０００２】
【従来の技術】
従来、この種の電飾器は、透光性材料からなる火炎型の発光ケース内部に複数の発光素子を軸線方向に配列させ、これらの発光素子を点滅させている（例えば、特許文献１参照）。
【０００３】
【特許文献１】
特開２００２−４２５１９号公報（第２―３頁、第１図）
【０００４】
【発明が解決しようとする課題】
しかしながらこの様な従来の構成では、発光素子を点滅させているものであり、その見え方は蝋燭の明かりのような緩やかで、そして小さな明暗の変化を実現することができず、どちらかというとちらついた明かりに見えてしまう。
【０００５】
また、これらを補ってちらつきを抑えてさらには明かりに変化を持たそうとすると、点滅周期を相当早くして、なおかつその中で点滅周期を変化させるように構成しなければならなくなり、マイコン等を用いてきめ細かで複雑な制御パターンを記憶させなければならず、その結果構成が複雑で難しく、高価なものとなっていた。
【０００６】
本発明は、上記従来の課題を解決するもので、複数のＬＥＤの明かりを点滅させるのではなく連続的でかつ徐々に暗くさせたり明るくさせるようにして、その明暗させる周期を変化させることで、その構成を簡単で安価なものでかつ、より蝋燭の明かりに近い擬似照明を実現することを目的とする。
【０００７】
【課題を解決するための手段】
この課題を解決するために本発明の電飾器は、複数の発光源と、これらの発光源を覆うカバーと、発光源の明るさを制御する制御手段を個々に備え、この制御手段は前記発光源の明るさが所定の下限値となると所定の上限値になるまで明るさを増し、前記所定の上限値になると前記所定の下限値になるまで明るさを減らす繰り返し変化の中で、所定のタイミングで前記繰り返し変化を変えるよう構成したものである。
【０００８】
この構成により、個々の明かりの繰り返し周期が同じでも、その開始を発光源毎にずらしたものを組み合わせることで簡単に複雑な明かりを作り出し、さらに所定のタイミングで繰り返し変化のタイミングを変えることで、長時間にわたって不規則な変化を作ることができるので、見ていても空きのこない明かりを簡単に実現することができる。
【０００９】
【発明の実施の形態】
請求項１に記載の発明は、複数の発光源と、これらの発光源を覆うカバーと、前記発光源の明るさを制御する制御手段を個々に備え、この制御手段は発光源の明るさが所定の下限値となると所定の上限値になるまで明るさを増し、前記所定の上限値になると前記所定の下限値になるまで明るさを減らす繰り返し変化の中で、所定のタイミングで前記繰り返し変化を変えるよう構成したものであり、個々の明かりの繰り返し周期が同じでも、その開始を発光源毎にずらしたものを組み合わせることで簡単に複雑な明かりを作り出し、さらに所定のタイミングで繰り返し変化のタイミングを変えるので、長時間にわたって不規則な変化を作ることができるので、見ていても空きのこない明かりを簡単に実現することができるという作用を有する。
【００１０】
請求項２に記載の発明は、繰り返し変化を行う周期は、それぞれの発光源が個々に異なる周期であるように構成したものであり、より長時間にわたって不規則な変化をする明かりを簡単に作ることができるという作用を有する。
【００１１】
請求項３に記載の発明は、所定のタイミングは、複数の発光源が同時に前記所定の下限値に達したときであるよう構成したものであり、より長時間にわたって不規則な変化をする明かりを簡単な構成で実現することができる。
【００１２】
さらに複数の発光源の輝度を同時に増すよう構成すると必要となる総電流量を抑制することができるので、簡単で安価な電源回路によって不規則な変化をする明かりを実現できるという作用を有する。
【００１３】
請求項４に記載の発明は、所定のタイミングになった際には、繰り返し周期の長い方の発光源を第１の所定時間遅らせて所定の上限値になるまで明るさを増すように構成したもので、第１の所定時間経過した時の輝度の減少量を少なく抑えることができるので、安価な電源回路によって自然でかつ複雑な明かりを実現できるという作用を有する。
【００１４】
請求項５に記載の発明は、所定のタイミングは、１つの発光源が所定の下限値に達してから第２の所定時間以内に他の発光源が前記所定の下限値に達したときであり、後者の発光源を前記第２の所定時間経過後に所定の上限値になるまで明るさを増すように構成したものであり、より長時間にわたって不規則な変化をする明かりを簡単な構成で実現することができる。
【００１５】
さらに複数の発光源の輝度をほとんど同時に増すよう構成すると必要となる電流を抑制することができるので、簡単で安価な電源回路によって不規則な変化をする明かりを実現できるという作用を有する。
【００１６】
請求項６に記載の発明は、電源投入時には、発光源を１つずつ点灯させるよう構成したものであり、急に明るくなるのではなく自然に明るく変化するように見えるので、ろうそくの炎のようにやわらかみのある点灯を実現できると同時に、発光源を同時に点灯するよう構成すると必要となる電流量を抑制することがでるので、簡単で安価な回路構成で不規則な変化をする明かりを実現させることができるという作用を有する。
【００１７】
【実施例】
以下、本発明の実施例について図１〜５を参照にしながら説明する。
【００１８】
（実施例１）
図１（ａ）は、本発明の実施例１を示す電飾器を示すものである。図において、１は発光源であり、本実施例ではＬＥＤによって構成されてある。このＬＥＤは図１（ｂ）のように複数個（本実施例では３個とする）を等間隔（本実施例では１２０°とする）毎に水平に取り付けられたＬＥＤ基板２の上に取り付けられている。３は前記ＬＥＤ１を覆い、蝋燭の炎をイメージする形状をして、光を拡散および透過する第１のＬＥＤカバーである。４は前記第１のカバー３の外側に設け、少なくとも側面の一部または全部が光を拡散および透過する第２のカバーである。５はＬＥＤ１を駆動する制御基板である。電源を印加すると、前記ＬＥＤ１は個々の周期でそれぞれ明暗を変化させながら点灯するよう構成している。すると、前記ＬＥＤ１の個々の明暗で点灯させられた明かりは重なり合って、さらに前記第１のカバー３および第２のカバー４で拡散および透過されて、前記第２のカバー４の外から見るとあたかも蝋燭の炎が揺らいでいるように見えてくる。
【００１９】
次に前記ＬＥＤ１の明るさを変化させるための具体的な動作を、図２の本発明第１の実施例を示す回路図を用いて説明する。図において、７は交流電源、８は前記交流電源７から生成され、前記ＬＥＤ１を駆動するための直流電源である。この直流電源８は、ツェナーダイオード８ａと抵抗８ｂとダイオード８ｃによって生成されたツェナーダイオード８ａのツェナー電圧とほぼ同じ電圧の半波を生成する。前記抵抗８ｂはこの半波電圧以外の電圧が印加されるため、回路全体が消費する電流が多ければ多くなるほど高ワットのものを使用していかなければならなくなる。前記半波電圧は、電解コンデンサ８ｄによって脈流を作り、さらにツェナーダイオード８ｅ、トランジスタ８ｆ、抵抗８ｇ、電解コンデンサ８ｈによって安定した直流電源を簡単に構成のものである。１０は前記ＬＥＤ１の点灯、消灯を行うスイッチで、１回オンすると回路を通電状態に維持し、もう１度オンすると回路をオフ状態にする電源スイッチである。前記ＬＥＤ１は複数（本実施例では３個）のＬＥＤ１ａ〜１ｃで構成され、個々に独立した調光回路９と、この調光回路９を制御するマイコン１１を具備し、前記マイコン１１が前記調光回路９を駆動することによって前記ＬＥＤ１に流れる電流を常に変化させて、明暗のある点灯を行うことができる。この調光回路９は、前記ＬＥＤ１を点灯するのに必要な電流を蓄えるコンデンサ９ａと、前記コンデンサ９ａへの充電を行わせるトランジスタ９ｃと、前記コンデンサ９ａへの充電を開始させる電圧（前記所定の下限値のこと）および放電を開始させる電圧（前記所定の上限値のこと）を検知し前記トランジスタ９ｃを制御する比較手段（本実施例では前記マイコン１１によって実現）を主な構成要素としている。前記ＬＥＤ１は、この調光回路９を構成する前記コンデンサ９ａに並列に、そして抵抗９ｂと直列に接続されている。前記ＬＥＤ１の両端に印加される電圧Ｖｆは電流にかかわらずにほぼ一定であるために、前記コンデンサ９ａの両端の電圧Ｖｃに応じて前記抵抗９ｂが電流を制限して前記ＬＥＤ１に供給することで、明かりを変化させるのである。
【００２０】
その具体的動作は以下の通りである。前記電源スイッチ１０がオンされると、前記マイコン１１の入力ポートｉｎ１は前記コンデンサ電圧Ｖｃを検知する。前記電源スイッチ１０がオンされた直後は前記コンデンサ９ａには電荷もなく前記コンデンサ電圧Ｖｃ＝０Ｖであるので、前記所定の上限値（本実施例では４．５Ｖとする）を検知するまで前記トランジスタ９ｃをオンするよう前記マイコン１１の出力ポートｏｕｔ１を“Ｌ”を出力する。前記トランジスタ９ｃがオンされると、抵抗９ｄを介して前記コンデンサ９ａが充電される。それと同時に前記ＬＥＤ１ａに流れる電流が徐々に増加して前記ＬＥＤ１ａは明るくなっていく。このときの明るさの度合いは前記コンデンサ９ａの容量あるいは前記抵抗９ｄの抵抗値によって異なる。前記コンデンサ電圧Ｖｃが前記所定の上限値まで達したことを前記マイコン１１の入力ポートｉｎ１が検知すると、前記マイコン１１は前記トランジスタ９ｃをオフするように出力ポートｏｕｔ１に“Ｈ”を出力して前記コンデンサ９ａへの充電を停止する。この状態になると前記ＬＥＤ１ａは前記コンデンサ９ａの放電電流によって点灯し続け、その結果前記コンデンサ電圧Ｖｃは徐々に低下していくので前記ＬＥＤ１への供給電流も減少し、徐々に暗くなっていく。そして、前記所定の下限値（本実施例では４．０Ｖとする）まで前記コンデンサ電圧Ｖｃが低下すると、再度前記トランジスタ９ｃを再オンして、前記コンデンサ電圧Ｖｃが前記所定の上限値になるまで前記コンデンサ９ａへの充電を行いながらＬＥＤ１を徐々に明るくしていく。
【００２１】
以上のような動作を繰り返し行う。なお、以後この一連の繰り返しを行う１周期のことを繰返し周期と述べる。そして前記ＬＥＤ１ｂ、１ｃにも同様の前記調光回路９を個々に設けて、個々に前記繰り返し周期を任意に設定するように構成することで前記繰返し周期は任意に設定することができ、明かりに色々な変化をもたらすことができる。
【００２２】
上記の動作を個々のＬＥＤで、繰り返しを行うと、図３のようなＬＥＤの輝度の変化を得ることができる。図３は実施例１における具体的な前記ＬＥＤ１ａ〜１ｃの輝度の変化を示したもので、特に前記ＬＥＤ１ａ〜１ｃの繰返し周期を同じにしたときの動作についてを示している。
【００２３】
さらに図３（ａ）によって、特に明暗の変化を開始させるタイミングのみを異なるようにした時の輝度の変化を説明する。図において前記所定の下限値より前記所定の上限値までの右肩上がりの線は、前記ＬＥＤ１の個々において、前記コンデンサ電圧Ｖｃの値が前記所定の下限値になって、前記所定の上限値になるまで個々の前記ＬＥＤ１に接続された前記コンデンサ９ａの充電を行うと同時に前記ＬＥＤ１にも電流を供給しているところである。前記コンデンサ電圧Ｖｃの値が高くなっていくと前述のように、個々のＬＥＤに接続されている抵抗９ｂの電圧が高くなり、よって前記ＬＥＤ１に流れる電流を増加させることができる。
【００２４】
また、前記所定の上限値より前記所定の下限値まで右肩下がりになっている線は、前記ＬＥＤ１の個々において前記所定の上限値になって前記コンデンサ９ａへの充電は終了し、前記ＬＥＤ１は前記コンデンサ９ａに相当する個々のコンデンサからの放電電流によって点灯し続けているところを示している。この状態になると、前記コンデンサＶｃは徐々に低下していき、その結果前記抵抗９ｂに印加される電圧が下がっていくので、前記ＬＥＤ１に流れる電流が減少していく。このような動作を各ＬＥＤ１ａ〜１ｃが個々に行い、この一連の動作を行う周期を一定（Ｔ１：本実施例では１００ｍｓとする）とし、その開始タイミングをずらしてやることで複数個のＬＥＤの異なった輝度が重なり、不規則な明かりを簡単な構成で実現できる。
【００２５】
しかしながら、この構成のみであると短期的には不規則な明かりの変化に見えるが、長時間になってくると同じ変化の繰り返しに見えてくるので見ている人に空きを感じさせてしまうことがある。そこで図３（ｂ）のように所定のタイミングで前記繰返し周期に変化を与えるように構成する。図３（ｂ）は図３（ａ）と同様の繰返し周期で複数の前記ＬＥＤ１ａ〜１ｃの輝度を変化をさせているものであるが、所定のタイミング（本実施例では約１ｓとする）経過ごとにその直後に最初に前記所定の下限値に達した前記ＬＥＤ１の充電開始を短時間（本実施例では１０ｍｓ）遅らせるように制御している（図３（ｂ）のＡ部）。このように構成することで、図３（ｂ）のＡ部以降の明かりの変化を少し変えてやることができ、より不規則な明かりを簡単に実現することができる。
【００２６】
なお、本実施例では所定のタイミングは複数の前記ＬＥＤ１に共通で有効となる構成しているが、個々のＬＥＤごとに時間を設定して単独でずらすように構成することで、さらに不規則にすることも容易に可能となる。
【００２７】
（実施例２）
以下本発明の第２の実施例について、図面を参照しながら説明する。なお実施例１で説明したものと同一構成部材には同一番号を用い、その説明を省略する。実施例１と異なるところは、前記ＬＥＤ１ａ〜１ｃの明暗する個々の前記繰り返し周期を変えた点と、前記ＬＥＤ１ａ〜１ｃのうち複数個のＬＥＤが同時に前記所定の下限値に達したときに、一方のＬＥＤのタイミングをずらすように構成した点であり、その具体的動作を以下に説明する。図４は実施例２における具体的な前記ＬＥＤ１ａ〜１ｃの輝度の変化とそのときに供給する電流量の変化を示したものである。
【００２８】
まず、図４（ａ）で前記ＬＥＤ１ａ〜１ｃの輝度を変化させる前記繰返し周期を個々に変えただけのものについて説明する。実施例１でも説明したように、前記所定の下限値より前記所定の上限値までの右肩上がりの線は、前記ＬＥＤ１の個々において、前記コンデンサ電圧Ｖｃの値が前記所定の下限値になって、前記所定の上限値になるまで個々の前記ＬＥＤ１に接続された前記コンデンサ９ａの充電を行うと同時に前記ＬＥＤ１にも電流を供給しているところである。
【００２９】
また、前記所定の上限値より前記所定の下限値まで右肩下がりになっている線は、前記ＬＥＤ１の個々において前記所定の上限値になって前記コンデンサ９ａへの充電は終了し、前記ＬＥＤ１は前記コンデンサ９ａに相当する個々のコンデンサからの放電電流によって点灯し続けているところを示している。そしてこの上がり方、下がり方の勾配（両方あわせて繰返し周期となる）は個々に異なったものとなるように構成している（繰返し周期：Ｔ１〜Ｔ３）。この繰り返し周期を異なるように設定することで、個々のＬＥＤは一定の周期で連続的な明暗する明かりとなるが、複数個が重なることで不規則な明かりを実現することができる。このＴ１〜Ｔ３は最小公倍数が大きいほど、いろいろな明るさを作り出すことができ、さらにその周期も長くすることができる。例えば、Ｔ１：１００ｍｓ、Ｔ２：１１０ｍｓ、Ｔ３：１２０ｍｓとすると、１周期は６．６ｓとなる。
【００３０】
また、この周期を変える方法としては、次のような方法がある。▲１▼個々のＬＥＤに接続されているコンデンサの静電容量を変えてやる方法、▲２▼個々のコンデンサに充電する充電電流を変えてやるために、電流制限を行う抵抗９ｄの値を変えてやる方法、▲３▼個々のＬＥＤの電流を変えてやるためにＬＥＤ電流を制限する抵抗９ｂの値を変えてやる方法、などである。いずれの方法も構成はまったく同じで定数を変えてやることで簡単にしかも自由に周期を変えることができ、いろいろなパターンの明暗をつける明かりを実現することができる。
【００３１】
次に図３（ａ）に示す輝度の変化に対して必要となる電流量の変化について述べる。図２で示すような回路構成とした場合、前記所定の下限値から電流を供給させると前記コンデンサ９ａへの充電も兼ねており、コンデンサ電圧Ｖｃは徐々に高くなっていくのに対して、最初に供給される電流量は多くて徐々に供給される電流は減少していく。すなわち、前記所定の下限値のときが最も電流供給量が多くて、前記所定の上限値に近づくと電流量は少なくなってくる。これを示したのが図３（ｂ）である。図３（ｂ）は図３（ａ）で個々のＬＥＤおよびコンデンサに供給される電流量と３つのＬＥＤ制御回路の総電流量を示したものである。
【００３２】
本実施例の回路構成は、簡単な回路構成によって上述のように輝度を変化させて蝋燭の炎ような揺らぎを実現することができるが、図３（ａ）（ｂ）に示すＡ部のように前記所定の下限値に達する前記ＬＥＤ１が複数重なった場合に同時に前記コンデンサ９ａに充電を開始してしまうため、そのタイミングでの総電流量が部分的に多くなり、その結果前記直流電源８を構成する前記抵抗８ｂや前記ツェナーダイオード８ａなどを能力の高いものにしたり、部品を複数個化する必要がある。したがって、このときに図３（ａ）（ｂ）のＡ部のように２つのＬＥＤの輝度が所定の下限値で重なった所定のタイミングでは図３（ｃ）のように一方の充電開始のタイミングを第１の所定時間Ｔ４（本実施例では１０ｍｓとする）だけ遅らせてやるように構成する。これにより総供給電流量は図３（ｂ）に対して（ｄ）の供給能力ラインまで抑えることが可能となってくる。
【００３３】
さらには、前記第１の所定時間だけ遅らせるのは輝度を変化させる前記繰り返し周期の長い方の前記ＬＥＤ１（本実施例では繰り返し周期Ｔ３の方）とすることによって、前記第１の所定時間後の輝度の暗さを少なくすることができ、明かりの見え方に違和感のないものにすることができる。
【００３４】
このように本実施例によれば、供給される電流量を極力抑えながら、かつより長時間にわたって不規則な明かりを容易に作り出すことができる。
【００３５】
なお、本実施例の図では充電中と放電中での時間が同じくらいになるように描かれているが、前記抵抗９ｂ、９ｄの値を変化させることで放電のほうの時間を長くなるように設定するほど、前記第１の所定時間Ｔ４に達したときの輝度の低減量は少なく抑えることができ、よって充電する場合にも充電電流の増える割合を低く抑えることができるので、より総電流量を低減するのに効果的である。
【００３６】
さらには、本構成において前記コンデンサ９ａの容量を大きくしても同様に前記第１の所定時間Ｔ４に達したときの値の低減量は少なく抑えることができ、よって充電する場合にも充電電流の増える割合を低く抑えることができるので、より総電流量を低減するのに効果的である。
【００３７】
また、本構成では個々のＬＥＤの輝度を変化させる繰り返し周期を変えることで、ろうそくに近い明かりを実現しているが、周期を変えると同時に明暗の変化度合いを変えることでより複雑な明かりを作り出すこともできる。具体的には、ここのＬＥＤ毎に前記所定の上限値および所定の下限値を変えて設定する方法で、前記マイコン１１のプログラムで設定してやることで容易にできる。
【００３８】
（実施例３）
以下本発明の第３の実施例について、図面を参照しながら説明する。なお実施例２で説明したものと同一構成部材には同一番号を用い、その説明を省略する。実施例２と異なるところは、第２の所定時間（本実施例では１０ｍｓとする）以内に複数のＬＥＤが前記所定の下限値に達したときには、後から前記所定の下限値に達した方のＬＥＤを前記第２の所定時間が経過するまで充電を開始させないようにした点であり、その具体的動作を以下に説明する。
【００３９】
図５は実施例３における具体的な前記ＬＥＤ１ａ〜１ｃの輝度の変化とそのときに供給する電流量の変化を示したものである。
【００４０】
まず、図５（ａ）は図４（ａ）と同様に前記ＬＥＤ１ａ〜１ｃの輝度を変化させるる個々の繰返し周期を変えただけのものについてのＬＥＤの輝度の変化を制御したものについて説明する。前記ＬＥＤ１ａ〜１ｃを異なる繰返し周期で個々に明暗させていると、あるタイミングでＡ部のようにわずかの時間の差だけで複数個のＬＥＤが前記所定の下限値に達してしまい、充電を開始する部分が存在してくる。この部分を図５（ｂ）の供給される電流量で見た場合、やはり部分的にＡ部で総電流量が増えてしまう結果となり、その結果前記直流電源８を構成する前記抵抗８ｂや前記ツェナーダイオード８ａなどを能力の高いものに変更したり、部品を複数個化する必要が発生する。したがって、このときに図５（ａ）のＡ部のように複数のＬＥＤの輝度が短時間で連続して前記所定の下限値に近づいたときは、図５（ｃ）のように一つの前記ＬＥＤ１の輝度を暗から明へと制御し始めてから第２の所定時間Ｔ５（本実施例では１０ｍｓとする）だけは他の前記ＬＥＤ１については輝度を暗から明に切り替えないように構成することで、総供給電流量は図５（ｂ）に対して（ｄ）のよう供給能力ラインを抑えることが可能となってくる。また、前記ＬＥＤ１の明暗のタイミングも図５（ｃ）のように新しい組み合わせができるので、さらに不規則な変化を実現することが可能となってくる。
【００４１】
以上にように本実施例によれば、供給される電流量を極力抑えながら、なおかつより長時間にわたって不規則な明かりを作り出すことができる。
【００４２】
（実施例４）
以下本発明の第４の実施例について、図面を参照しながら説明する。なお実施例３で説明したものと同一構成部材には同一番号を用い、その説明を省略する。本実施例は、実施例１〜実施例３で記載された構成における電飾器において、前記電源スイッチ１０をオンした直後の前記ＬＥＤ１ａ〜１ｃの制御方法について記載したものである。
【００４３】
実施例１〜３において、前記所定の上限値と前記所定の下限値の間での前記ＬＥＤ１ａ〜１ｃの制御について述べてきたが、電源投入直後は前記コンデンサ電圧Ｖｃが前記所定の下限値よりもさらに低い電圧しかないときがほとんどであり、最初に供給する電流量は前記所定の下限値のときに必要なものよりもさらに大きくなる。それを同時に複数のＬＥＤに供給しようとすると、供給量はさらに増えてしまい、前記直流電源８を構成する部品の能力を上げなければならないようになってくる（図６（ａ）および（ｂ））。そこで前記マイコン１１によって、図６（ｃ）のように１つずつ第３の所定時間（本実施例では１秒とする）遅らせて前記ＬＥＤ１を制御するようにする。これにより図６（ｄ）に示すような供給電流量に抑えることができる。
【００４４】
このように簡単な構成で、安価で効率的な回路を設計することができ、より不規則な明かりを簡単な構成で実現できる。
【００４５】
【発明の効果】
以上のように本発明は、複数の発光源と、この発光源を覆うカバーと、発光源の明るさを個々に変化できるよう構成したことにより、カバーの外から見た明かりの変化が、よりろうそくの炎に近い明かりを簡単なで安価な構成で得られる優れた電飾器を実現し、使用者に落ち着いたリラックスできる雰囲気を提供することができる。
【図面の簡単な説明】
【図１】本発明の実施例１の電飾器の構成図
【図２】同、電飾器の回路図
【図３】同、電飾器の輝度の変化と供給電流量を示すタイミングチャート
【図４】本発明の実施例２の電飾器の輝度の変化と供給電流量を示すタイミングチャート
【図５】本発明の実施例３の電飾器の輝度の変化と供給電流量を示すタイミングチャート
【図６】本発明の実施例４の電飾器の輝度の変化と供給電流量を示すタイミングチャート
【符号の説明】
１  発光源
３  第１のカバー
４  第２のカバー
５  制御手段
【図１】
2004311143.tif 000003
【図２】
2004311143.tif 000004
【図３】
2004311143.tif 000005
【図４】
2004311143.tif 000006
【図５】
2004311143.tif 000007
【図６】
2004311143.tif 000008